(57)【要約】【課題】チューナー装置と表示装置間の通信状態が悪化した場合でも、ユーザーが放送を視聴することが可能なテレビ放送受信装置の提供を目的とする。【解決手段】デジタル放送信号を受け、前記デジタル放送信号を選局しデコードして、映像信号及び音声信号を含む映像データを生成し、映像データを無線送信に適した処理後映像データに変換するチューナー部１００と、チューナー部から無線通信によって処理後映像データを受け、これに基づいて映像を表示する表示部２００と、を備え、チューナー部１００は、表示部２００との通信状態の変化に応じて、映像データを所定のメモリ部１０７に録画することを特徴とする。【選択図】図３
2010124341.tif 000002
【特許請求の範囲】
【請求項１】
デジタル放送信号を受け、前記デジタル放送信号を選局しデコードして、映像信号及び音声信号を含む映像データを生成し、前記映像データを無線送信に適した処理後映像データに変換するチューナー部と、
前記チューナー部から無線通信によって前記処理後映像データを受け、これに基づいて映像を表示する表示部と、を備え、
前記チューナー部は、前記表示部との通信状態の変化に応じて、前記映像データを所定のメモリ部に録画することを特徴とするテレビ放送受信装置。
【請求項２】
前記チューナー部は、
前記デジタル放送信号を受信し選局する映像音声入力部と、
前記チューナー部の動作を制御するチューナー部制御部と、
前記処理後映像データを前記表示部に無線伝送するチューナー部無線通信部と、を備え、
前記チューナー部制御部は、
前記映像音声入力部から映像データを受けてデコードし、且つ前記処理後映像データに変換する送信データ処理部と、
前記チューナー部無線通信部における前記表示部との通信状態の検出を行い、検出結果をチューナー部通信状態データとして出力するチューナー部通信状態検出部と、
前記チューナー部通信状態データに基づいて通信状態の不良を判定する通信状態判定部と、
前記映像音声入力部から前記映像データを受け、前記通信状態判定部の判定結果に応じて、前記メモリ部に前記映像データの録画を行い、又は前記メモリ部に録画された前記映像データを再生映像データとして読み出す録画再生部と、を備えた請求項１に記載のテレビ放送受信装置。
【請求項３】
前記送信データ処理部は、
前記映像データと前記再生映像データの一方を選択する入力データ選択部と、
前記入力データ選択部において選択したデータをデコードするＭＰＥＧ復号部と、
ＭＰＥＧ復号部でデコードしたデータを、前記処理後映像データに変換し、前記チューナー部無線通信部に出力する送信データ変換部と、を備え、
前記通信状態判定部で通信状態が良好と判定された場合には、前記入力データ選択部は前記映像データを選択し、
通信状態が不良と判定された場合には、前記録画再生部は前記メモリ部に前記映像データの録画を行い、且つ通信状態が不良から良好に転じると前記メモリ部から前記再生映像データを読み出し、
当該読み出された前記再生映像データは前記入力データ選択部で選択される、請求項２に記載のテレビ放送受信装置。
【請求項４】
前記録画再生部は、前記メモリ部に対する前記映像データの録画をループ録画により行い、前記メモリ部からの前記映像データの再生をループ再生により行う、請求項３に記載のテレビ放送受信装置。
【請求項５】
前記ループ録画及び前記ループ再生は前記メモリ部の有する記憶容量の一部分で行われる、請求項４に記載のテレビ放送受信装置。
【請求項６】
前記録画再生部は、前記再生映像データを時間的に圧縮して読み出しを行い、
前記録画再生部で読み出される前記再生映像データが前記映像データに追いついた時点で、前記メモリ部への録画及び前記メモリ部からの読み出しを停止する、請求項３〜５のいずれかに記載のテレビ放送受信装置。
【請求項７】
前記録画再生部は、前記再生映像データからコマーシャルを検出し、コマーシャルのみ時間的に圧縮して高速に読み出しを行い、
前記録画再生部で読み出される前記再生映像データが前記映像データに追いついた時点で、前記メモリ部への録画及び前記メモリ部からの読み出しを停止する、請求項３〜５のいずれかに記載のテレビ放送受信装置。
【請求項８】
前記録画再生部は、前記再生映像データから放送のハイライトシーンを検出し、ハイライトシーンの前後所定時間分の読み出しを行い、
前記録画再生部で読み出される前記再生映像データが前記映像データに追いついた時点で、前記メモリ部への録画及び前記メモリ部からの読み出しを停止する、請求項３〜６のいずれかに記載のテレビ放送受信装置。
【請求項９】
前記表示部は、
前記チューナー部無線通信部との間で無線通信を行う表示部無線通信部と、
前記表示部無線通信部における通信状態を検出し、検出結果を表示部通信状態データとして出力する表示部通信状態検出部と、を備え、
前記表示部無線通信部は、前記表示部通信状態検出部から表示部通信状態データを受け、これを前記チューナー部無線通信部に送信し、
前記通信状態判定部は、前記チューナー部無線通信部から前記表示部通信状態データを受け、前記表示部通信状態データ及び前記チューナー部通信状態データに基づいて、通信状態の不良を判定する、請求項３〜８のいずれかに記載のテレビ放送受信装置。
【発明の詳細な説明】
【技術分野】
【０００１】
本発明は、テレビ放送を受信するチューナー装置と映像を表示する表示装置を分離し、チューナー装置から表示装置に向けてデジタル化された映像信号、音声信号及びその他の情報からなる映像データを無線伝送するよう構成された、テレビ放送受信装置に関するものである。
【背景技術】
【０００２】
近年のテレビ放送受信機は、表示画面が薄型化され、壁掛けテレビ等の商品が発売されている。このような薄型テレビでは、放送の受信・デコード等を行うチューナー部と、表示画面にて放送を表示する表示部をそれぞれ分離された装置とし、チューナー部から表示部への映像・音声信号の伝送は、ＨＤＭＩ等のインターフェースによりケーブルを通して行っている。この、チューナー部から表示部へのケーブル接続をなくすために、チューナー部から表示部への映像・音声信号の伝送に無線を使用した商品が発売され始めている。
【０００３】
無線伝送の方式としては、非特許文献１ではＷｉｒｅｌｅｓｓ  ＨＤ、ＷＨＤＩ（Ｗｉｒｅｌｅｓｓ  Ｈｉｇｈ  Ｄｅｆｉｎｉｔｉｏｎ  Ｉｎｔｅｒｆａｃｅ）、ＵＷＢ等が提案されている。ここで、チューナー部から表示部へ伝送する映像信号はベースバンドであり、ＨＤＴＶ信号の場合１．５Ｇｂｐｓとなる。このため、高ビットレート映像信号を安定に伝送するために様々な工夫がなされている。特許文献１はその具体例の１つであり、画像データを粗部と精細部に分ける圧縮法とＭＩＭＯ無線技術を使用して高ビットレートの映像データを、ノイズの多い環境下でも画面を途切れさせることなく表示できるシステムを構築している。
【０００４】
【非特許文献１】Electronic Engineering Times, June 2, pp.10-11
【特許文献１】特表２００７−５０７１４７（第６−１０頁）
【発明の開示】
【発明が解決しようとする課題】
【０００５】
上述のようなチューナー部と表示部が分離されたテレビ放送受信装置においては、従来技術の課題として、チューナー部と表示部を互いに見通しがきくように設置していても、常に安定したデータの無線伝送を行えるとは限らないという問題がある。例えば、無線伝送路上に障害物を設置した場合には無線電波が障害物で遮蔽されるため、受信側での受信強度の低下または無線通信の遮断が発生する。また、無線伝送路上を人、動物、物が移動することにより、通信状態が変化する場合もある。さらに、設置した無線機（チューナー部及び表示部）以外からの妨害電波等、外来ノイズによる通信状態の変化がある。この点に関しては、部屋間にチューナー部と表示部を設置して無線通信を行った場合、無線ＬＡＮと干渉することによって映像音声が安定して伝送できなくなる可能性が考えられる。
【０００６】
このように、無線伝送路上を移動する人、動物、物の影響や、外来ノイズの到来によって、通信状態は常に変動することになる。通信状態が悪化すれば、正常に無線伝送している場合と比べてデータの転送レートが低下し、データの欠落を発生させる原因となる。映像データ及び音声データ等からなるＡＶデータの伝送において、通信状態の変化による転送レートの低下は画質、音質の低下を招き、伝送可能な転送レートが低下したり無線伝送の遮断が生じると、映像データの伝送が行えなくなる。この問題は、通信経路を再構築するか、外来ノイズ等の影響をなくすまで解決しない。通信状況が回復すると、映像データを伝送することが可能になる。すなわち、通信状態が悪化すると、その間の映像データを伝送することができないため、ユーザーが放送を視聴することができない部分が生じ、ユーザーは放送内容を十分に理解できないという問題があった。
【０００７】
そこで、本発明は上記の諸問題に鑑み、チューナー装置と表示装置間の通信状態が悪化した場合でも、ユーザーが放送を視聴することが可能なテレビ放送受信装置の提供を目的とする。
【課題を解決するための手段】
【０００８】
本発明のテレビ放送受信装置は、デジタル放送信号を受け、前記デジタル放送信号を選局しデコードして、映像信号及び音声信号を含む映像データを生成し、映像データを無線送信に適した処理後映像データに変換するチューナー部と、チューナー部から無線通信によって処理後映像データを受け、これに基づいて映像を表示する表示部と、を備え、チューナー部は、表示部との通信状態の変化に応じて、映像データを所定のメモリ部に録画することを特徴とする。
【発明の効果】
【０００９】
本発明のテレビ放送受信装置において、チューナー部は、表示部との通信状態の変化に応じて、映像データをメモリ部に録画することを特徴とする。チューナー部と表示部の通信状態の変化に応じて映像データを録画するため、通信状態が変化しても映像データを消失することがない。
【発明を実施するための最良の形態】
【００１０】
（実施の形態１）
＜前提＞
従来から普及しているテレビ放送受信装置の構成の概要を図２に示す。従来のテレビ放送受信装置は、チューナー部と表示部とが一体となっている。
【００１１】
これに対し、実施の形態１に係るテレビ放送受信装置の構成の概要を図１に示す。当該テレビ放送受信装置は、放送局からデジタル放送受信を行うチューナー部１００と、チューナー部１００から映像信号及び音声信号等からなる映像データを受信して表示する表示部２００と、を備えている。表示部２００は、チューナー部１００からの映像データを無線通信によって受信する受信装置２０３と、受信装置２０３で受信した映像データを表示する表示装置３００と、を備えている。このようにチューナー部１００と表示部２００とが別体になっている。
【００１２】
ここで、表示装置３００は液晶パネルやプラズマパネル等である。又、受信装置２０３と表示装置３００とで表示部２００としているが、受信装置２０３と表示装置３００は別々に設置しても良い。
【００１３】
＜構成＞
図３に実施の形態１に係るテレビ放送受信装置の構成をさらに詳しく示す。以下、デジタル放送は地上デジタル放送であるとして説明するが、デジタル放送の受信は例えば衛星デジタル放送や、デジタルケーブル放送、又はインターネット網を利用したデジタル放送であっても良い。
【００１４】
実施の形態１に係るテレビ放送受信装置は、チューナー部１００と表示部２００とを備える。チューナー部１００はデジタル放送を受信し、ＭＰＥＧにより圧縮された映像データを復号する。ここで、映像データとはＴＳストリームのことである。そして、復号された映像データを表示部２００に無線伝送する。
【００１５】
表示部２００は、チューナー部１００から映像データを受信し、これに基づいて映像を表示する。
【００１６】
チューナー部１００は、放送局からデジタル放送として映像データを受信する映像音声入力部１０１と、映像音声入力部１０１から映像データを受けて、これに所定の処理を施した処理後映像データを出力するチューナー部制御部１０８と、表示部２００との通信状態に応じて映像データが録画されるメモリ部１０７と、チューナー部制御部１０８から処理後映像データを受けて表示部２００に無線送信するチューナー部無線通信部１０２と、を備えている。
【００１７】
映像音声入力部１０１は、デジタル放送を受信するための選局及びＴＳストリームの取得機能を有しており、チューナー部制御部１０８の制御によって選局を行いＴＳストリームからなる映像データの出力を行う。
【００１８】
チューナー部無線通信部１０２は、チューナー部制御部１０８の制御を受けて、選局動作や無線通信方法で定められた変調を行う機能を有する。ここで無線通信方式は、例えば国際標準規格のＩＥＥＥ８０２．１１ａ、ＩＥＥＥ８０２．１１ｇ等や、ＵＷＢ（Ｕｌｔｒａ  Ｗｉｄｅ  Ｂａｎｄ）等がある。あるいは、独自に開発した通信方式であっても良いが、チューナー部１００と表示部２００間で双方向通信を行うものである。
【００１９】
又、チューナー部無線通信部１０２は、チューナー部制御部１０８から処理後映像データを取得して、無線通信により表示部２００に送信する。さらに、チューナー部制御部１０８の制御を受けて、表示部２００への送信出力の調整と、表示部２００からの受信調整を行う。
【００２０】
又、チューナー部無線通信部１０２は、無線通信方式によって定められた情報や、電源のＯＮ／ＯＦＦ等の表示部２００の動作を制御する情報や、表示部補助データの受信を行ったことを示すＡＣＫ信号等からなるチューナー部補助データを送信する。ここで、表示部補助データとは、処理後映像データあるいはチューナー部補助データが表示部２００で受信されたことを示すＡＣＫ信号や表示部２００を示す固有の情報等の制御信号とリモコンのようなユーザー入力等からなるその他の情報のどちらかまたは両方からなる。
【００２１】
さらに、チューナー部無線通信部１０２は、表示部２００と双方向通信を行っており、表示部２００からのデータの受信をする。チューナー部無線通信部１０２で受信したデータは、チューナー部制御部１０８に出力する。
【００２２】
メモリ部１０７には、チューナー部制御部１０８の制御により無線通信の状態に応じて映像音声入力部１０１からの映像データの記憶が行われる。ここで映像データは、映像音声入力部１０１から取得されたＴＳストリームでもよいし、デジタルベースバンド信号でもよい。図１では、メモリ部１０７はチューナー部１００に内蔵されているが、チューナー部１００の外部にあってもよい。また、メモリ部１０７は、半導体記憶素子あるいはＨＤＤあるいはＤＶＤ等のいずれであってもよい。ここで半導体記憶素子は、フラッシュメモリを使用したＵＳＢメモリやメモリカードを含む。
【００２３】
チューナー部制御部１０８は、チューナー部１００の全体の制御を行い、映像音声入力部１０１から映像データを受け、これに処理を施して無線通信に適した処理後映像データを出力する。
【００２４】
すなわち、実施の形態１に係るテレビ放送受信装置は、デジタル放送信号を受け、前記デジタル放送信号を選局しデコードして、映像信号及び音声信号を含む映像データを生成し、当該映像データを無線送信に適した処理後映像データに変換するチューナー部１００と、チューナー部１００から無線通信によって処理後映像データを受け、これに基づいて映像を表示する表示部２００と、を備え、チューナー部１００は、表示部２００との通信状態の変化に応じて、映像データを所定のメモリ部１０７に録画することを特徴とする。チューナー部１００と表示部２００の通信状態の変化に応じて映像データを録画するため、通信状態が変化しても映像データを消失することがない。
【００２５】
又、チューナー部制御部１０８は、チューナー部通信状態検出部１０５、通信状態判定部１０３、録画再生部１０６、送信データ処理部１０４を備える。
【００２６】
チューナー部通信状態検出部１０５は、チューナー部無線通信部１０２における表示部２００との通信状態を検出する。通信状態の検出は、チューナー部無線通信部にて送受信する信号から、その通信状態を示す所定の情報を検出することにより行う。例えば、表示部２００から受信する信号のエラーレートを検出する。あるいは、表示部２００に送信している送信チャンネルのＳＮ比あるいはＣＮ比を検出しても良い。又は、表示部２００からの受信チャンネルのＳＮ比あるいはＣＮ比の検出を行う。検出事項はこれらの一部または全部であってもよい。検出した内容はチューナー部通信状態データとして、通信状態判定部１０３に出力する。
【００２７】
通信状態判定部１０３は、チューナー部通信状態検出部１０５からチューナー部通信状態データを受け、チューナー部１００と表示部２００の通信状態が良好であるか、不良であるかを判定する。例えばエラーレートの増加（つまりエラーが多くなる）に基づいて判定する。
【００２８】
送信データ処理部１０４は、映像音声入力部１０１から映像データを受け、これを無線通信に適した形式の処理後映像データに変換し、チューナー部無線通信部１０２に出力する。詳しい動作について図４の説明で後述する。
【００２９】
録画再生部１０６は、映像音声入力部１０１から映像データを受けてデータバッファリングを行い、メモリ部１０７に映像データの録画を行う。又、メモリ部１０７に録画されている映像データを、再生映像データとして読み出す。
【００３０】
すなわち、実施の形態１に係るテレビ放送受信装置において、チューナー部１００は、デジタル放送信号を受信し選局する映像音声入力部１０１と、チューナー部１００の動作を制御するチューナー部制御部１０８と、処理後映像データを表示部２００に無線伝送するチューナー部無線通信部１０２と、を備え、チューナー部制御部１０８は、映像音声入力部１０１から映像データを受けてデコードし、且つ処理後映像データに変換する送信データ処理部１０４と、チューナー部無線通信部１０２における表示部１００との通信状態の検出を行い、検出結果をチューナー部通信状態データとして出力するチューナー部通信状態検出部１０５と、チューナー部通信状態データに基づいて通信状態の不良を判定する通信状態判定部１０３と、映像音声入力部１０１から映像データを受け、通信状態判定部１０３の判定結果に応じて、メモリ部１０７に映像データの録画を行い、又はメモリ部１０７に録画された映像データを再生映像データとして読み出す録画再生部１０６と、を備える。映像データを記憶するか否かの判断をチューナー部の通信状態判定部で判定するため、デジタル放送の受信中、常時録画をする必要がなくなり、メモリ部１０７の記憶容量を少なくすることが出来る。
【００３１】
＜送信データ処理部１０４＞
図４は、送信データ処理部１０４周辺の構成を示した図である。送信データ処理部１０４は、入力データ選択部１１１とＭＰＥＧ復号部１１２と送信データ変換部１１３と、を備える。
【００３２】
入力データ選択部１１１は、映像音声入力部１０１から映像データ１２１を受け、録画再生部１０６から再生映像データを受け、いずれか一方を入力として選択してＭＰＥＧ復号部１１２に出力する。
【００３３】
ＭＰＥＧ復号部１１２は、入力データ選択手段で選択された映像データ又は再生映像データを、映像信号、音声信号、付随信号に分離し、付随信号を参照して映像信号、音声信号の復号を行い、送信データ変換部１１３に出力する。
【００３４】
送信データ変換部１１３では、ＭＰＥＧ復号部１１２から復号された映像信号及び音声信号を受け、無線通信方式によって定められたデータ変換や、誤り訂正のためのデータ付加等、映像データを表示部２００に送信するための処理を行う。処理後の映像データを処理後映像データ１２２としてチューナー部無線通信部１０２に出力する。チューナー部無線通信部１０２は処理後映像データを表示部２００に無線送信する。
【００３５】
＜表示部の構成＞
次に、図３を用いて表示部２００の構成を説明する。表示部２００は、表示部無線通信部２０２、表示部制御部２０８、映像音声出力部２０１、表示装置３００を備えている。
【００３６】
表示部無線通信部２０２は、チューナー部１００のチューナー部無線通信部１０２から無線通信によって処理後映像データ及びチューナー部補助データを受信し、表示部制御部２０８に出力する。さらに、無線通信方式によって定められた情報や電源のＯＮ／ＯＦＦ等の表示部２００の状態を示す情報やチューナー部補助データの受信を行ったことを示すＡＣＫ信号等からなる表示部補助データをチューナー部１００に伝送する。
【００３７】
又、表示部無線通信部２０２は、表示部制御部２０８の制御によって選局動作や無線通信方法で定められた復調を行う機能を有する。無線通信方式はチューナー部１００と同じ無線通信方式が使用される。又、表示部制御部２０８の制御によって表示部無線通信部２０２での送信出力調整と、チューナー部１００からの通信を受信するための受信調整を行う。
【００３８】
表示部２００全体の制御を行う表示部制御部２０８は、受信データ処理部２０４を備える。受信データ処理部２０４は、表示部無線通信部２０２から処理後映像データを受け、これを元の映像データに戻して映像音声出力部２０１に出力する。
【００３９】
映像音声出力部２０１は、表示部制御部２０８から映像データを受け、これを表示装置３００の仕様に合わせたフォーマットに変換した後、表示装置３００に出力する。
【００４０】
表示装置３００は、映像音声出力部２０１から映像データを受けて、画面に表示する。ここで、表示装置３００はＬＣＤやプラズマディスプレイまたは有機ＥＬ（Ｅｌｅｃｔｒｏ  Ｌｕｍｉｎｅｓｃｅｎｃｅ）ディスプレイ等が用いられる。
【００４１】
＜動作＞
図４に基づいて、受信したデジタル放送のチューナー部１００における経路を説明する。放送局からデジタル放送として映像データ１２１が映像音声入力部１０１で受信されると、映像データ１２１はチューナー部制御部１０８において送信データ処理部１０４と録画再生部１０６に入力される。
【００４２】
チューナー制御部１０８は、通信状態判定部１０３で通信状態が良好と判定された場合、映像データ１２１が表示部２００に伝送されるよう送信データ処理部１０４に指示を行う。すなわち、入力データ選択部１１１が映像データ１２１を選択し、ＭＰＥＧ復号１１２に出力する。
【００４３】
一方、通信状態が不良と判定されると、録画再生部１０６は映像データ１２１をメモリ部１０７に録画する。
【００４４】
そして、通信状態判定部１０３の判定結果が不良から良好に転ずると、録画再生部１０６はメモリ部１０７に録画した映像データを再生映像データ１２３として読み出し、再生映像データ１２３を入力データ選択部１１１に出力する。入力データ選択部１１１は入力として録画再生部１０６からの再生映像データ１２３を選択し、ＭＰＥＧ復号手段１１２に出力する。ＭＰＥＧ復号手段１１２及び送信データ変換手段１１３では、前述の通りＭＰＥＧ復号と変換処理によって再生映像データ１２３が処理後映像データ１２２に変換され、処理後映像データ１２２はチューナー部無線通信部１０２を介して表示部２００に送信される。又、録画再生部１０６は再生映像データ１２３をメモリ１０７から読み出す一方で、映像データ１２１をメモリ部１０７に録画する。録画再生部１０６による録画と再生は、通信状態が良好に転じた後所定時間続けられて終了する。
【００４５】
すなわち、実施の形態１のテレビ放送受信装置において、送信データ処理部１０４は、映像データ１２１と再生映像データ１２３の一方を選択する入力データ選択部１１１と、入力データ選択部１１１において選択したデータをＭＰＥＧ復号処理するＭＰＥＧ復号部１１２と、ＭＰＥＧ復号部でデコードしたデータを、処理後映像データに変換し、チューナー部無線通信部１０２に出力する送信データ変換部１０４と、を備え、通信状態判定部１０３で通信状態が良好と判定された場合には、入力データ選択部１１１は映像データ１２１を選択し、通信状態が不良と判定された場合には、録画再生部１０６はメモリ部１０７に映像データ１２１の録画を行い、且つ通信状態が不良から良好に転じるとメモリ部１０７から再生映像データ１２３を読み出し、当該読み出された再生映像データ１２３は入力データ選択部１１１で選択される。通信状態が不良である際の映像データ１２１を録画しておき、通信状態が不良から良好に転じた際にこれを再生映像データ１２３として再生して表示部１００に無線伝送することにより、ユーザーは通信不良の際の放送内容を見逃すことなく理解することが出来る。
【００４６】
図５に、上述のチューナー部１００の動作をフローチャートで示す。チューナー部１００はユーザーの選局要求を受けて、デジタル放送受信を始める（ステップＳ１）。
【００４７】
次に、チューナー部１００と表示部２００が無線通信を開始し、チューナー部１００はチューナー部無線通信部１０２における通信状態の判定を通信状態判定部１０３で行う（ステップＳ２）。
【００４８】
通信状態の判定結果が良好であれば、チューナー部制御部１０８は、送信データ処理部１０４の入力データ選択部１１１が映像音声入力部１０１で受信した映像データ１２１を選択するように指示する。送信データ処理部１０４では、ＭＰＥＧ復号部１１２で映像データ１２１がＭＰＥＧ復号され、さらに送信データ変換部１１３で無線送信用の処理後映像データ１２２に変換される。そして、チューナー部無線通信部１０２から表示部２００へ、処理後映像データ１２２の伝送が開始される（ステップＳ３）。
【００４９】
もしステップＳ２において、通信状態判定部１０３による通信状態の判定が不良であれば、録画再生部１０６はチューナー部制御部１０８の制御によりメモリ部１０７に対して映像データ１２１の録画を開始する（ステップＳ５）。
【００５０】
ステップＳ３で映像データ１２１の伝送を開始すると、チューナー部１００は通信状態の監視を再開する（ステップＳ４）。
【００５１】
ステップＳ４で、通信状態判定部１０３において通信状態が不良であると判定されると、録画再生部１０６はチューナー部制御部１０８の指示によって、選局している番組の映像データ１２１をメモリ部１０７に録画する（ステップＳ５）。
【００５２】
次に、チューナー部１００は通信状態の判定を行い（ステップＳ６）、良好に転ずるまでメモリ部１０７に録画を続ける。
【００５３】
ステップＳ６で、通信状態判定部１０３が通信状態が良好と判定すると、録画再生部１０６はチューナー部制御部の指示によって、映像データ１０２の録画を行いながら、録画済みの映像データ１０２を再生映像データ１２３として再生する（ステップＳ７）。
【００５４】
次に、送信データ処理部１０４では、入力データ選択部１１１が再生映像データ１２３を選択し、ＭＰＥＧ復号１１２でＭＰＥＧ復号を行い、送信データ変換部１１３で無線通信に適した変換処理を施し、無線機無線通信部１０２から表示部２００に伝送する（ステップＳ８）。
【００５５】
＜効果＞
実施の形態１に係るテレビ放送受信装置は、デジタル放送信号を受け、前記デジタル放送信号を選局しデコードして、映像信号及び音声信号を含む映像データを生成し、当該映像データを無線送信に適した処理後映像データに変換するチューナー部１００と、チューナー部１００から無線通信によって処理後映像データを受け、これに基づいて映像を表示する表示部２００と、を備え、チューナー部１００は、表示部２００との通信状態の変化に応じて、映像データをメモリ部１０７に録画することを特徴とする。チューナー部１００と表示部２００の通信状態の変化に応じて映像データを録画するため、通信状態が変化しても映像データを消失することがない。
【００５６】
又、実施の形態１に係るテレビ放送受信装置において、チューナー部１００は、デジタル放送信号を受信し選局する映像音声入力部１０１と、チューナー部１００の動作を制御するチューナー部制御部１０８と、処理後映像データを表示部２００に無線伝送するチューナー部無線通信部１０２と、を備え、チューナー部制御部１０８は、映像音声入力部１０１から映像データを受けてデコードし、且つ処理後映像データに変換する送信データ処理部１０４と、チューナー部無線通信部１０２における表示部１００との通信状態の検出を行い、検出結果をチューナー部通信状態データとして出力するチューナー部通信状態検出部１０５と、チューナー部通信状態データに基づいて通信状態の不良を判定する通信状態判定部１０３と、映像音声入力部１０１から映像データを受け、通信状態判定部１０３の判定結果に応じて、メモリ部１０７に映像データの録画を行い、又はメモリ部１０７に録画された映像データを再生映像データとして読み出す録画再生部１０６と、を備える。映像データを記憶するか否かの判断をチューナー部の通信状態判定部で判定するため、デジタル放送の受信中、常時録画をする必要がなくなり、メモリ部１０７の記憶容量を少なくすることが出来る。
【００５７】
さらに、実施の形態１のテレビ放送受信装置において、送信データ処理部１０４は、映像データ１２１と再生映像データ１２３の一方を選択する入力データ選択部１１１と、入力データ選択部１１１において選択したデータをＭＰＥＧ復号処理するＭＰＥＧ復号部１１２と、ＭＰＥＧ復号部でデコードしたデータを、処理後映像データに変換し、チューナー部無線通信部１０２に出力する送信データ変換部１０４と、を備え、通信状態判定部１０３で通信状態が良好と判定された場合には、入力データ選択部１１１は映像データ１２１を選択し、通信状態が不良と判定された場合には、録画再生部１０６はメモリ部１０７に映像データ１２１の録画を行い、且つ通信状態が不良から良好に転じるとメモリ部１０７から再生映像データ１２３を読み出し、当該読み出された再生映像データ１２３は入力データ選択部１１１で選択される。通信状態が不良である際の映像データ１２１を録画しておき、通信状態が不良から良好に転じた際にこれを再生映像データ１２３として再生して表示部１００に無線伝送することにより、ユーザーは通信不良の際の放送内容を見逃すことなく理解することが出来る。
【００５８】
（実施の形態２）
実施の形態２のテレビ放送受信装置の構成は、実施の形態１のテレビ放送受信装置と同様であるため、記載を省略する。
【００５９】
実施の形態２のテレビ放送受信装置は、チューナー部１００と表示部２００の通信状態が不良になると、映像音声入力部１０１からの映像データ１２１をメモリ部１０７に録画するが、メモリ部１０７の記憶容量１４１のうち決められた範囲内の録画可能領域で録画を行う。この概念を示した図が図６である。メモリ部１０７の記憶容量１４１のうち、その一部分に割り当てられた録画可能領域１４２でループ録画を行う。
【００６０】
ループ録画について、図７及び図８を用いて説明する。図７では、録画可能領域１４２にアドレス０ｘ１００から０ｘ２００までを割り当てている。始めの録画はアドレス０ｘ１００から始まり録画とともにアドレスが０ｘ１０１、０ｘ１０２と増加していく。アドレス０ｘ２００に録画データの書き込みがされると次のアドレスは０ｘ２０１であるが、録画可能領域１４２はアドレス０ｘ２００までであるためアドレス０ｘ２０１に録画データを記録することは出来ない。このため、次の録画データはアドレス０ｘ１００に戻って元に記録されている記録データを破棄し、新しい記録データを記録する。
【００６１】
この様子を図８を用いて説明する。図８の下図において、横軸は時刻であり、縦軸はメモリ部１０７の録画可能領域１４２のアドレスである。図８の上図は、下図の時刻における録画可能領域１４２の中の録画位置を示す。
【００６２】
ｔ０で通信状態が不良になり録画を始めたとすると、アドレス０ｘ１００から録画データを記録する。録画とともにアドレスが増加していき、ｔ１でアドレス０ｘ１５０に記録される。さらに録画を続けてｔ２でアドレス０ｘ２００に達すると、アドレス０ｘ１００に戻る。すなわち、アドレス０ｘ２００の次の記録はアドレス０ｘ１００に行われる。この際に、ｔ０でアドレス０ｘ１００に記録された録画データは破棄され、ｔ２の録画データが０ｘ１００に記録させる。さらに録画を続けてｔ３ではアドレス０ｘ１５０に記録される。同様にｔ２からｔ３までの記録は、ｔ０からｔ１までに記録されたデータを破棄して行われる。録画が停止されるまでこの動作が繰り返される。
【００６３】
再生時は、ループ再生を行う。図７を用いてループ再生について説明する。始めの再生は録画時と同様０ｘ１００から再生する。再生が進むにつれアドレスが０ｘ１０１、０ｘ１０２と増加していく。再生アドレスが０ｘ２００になりアドレス０ｘ２００の記録データが読み出されると、次の再生アドレスは０ｘ１００となる。アドレスに記録されたデータに変化がなければ、同じデータを繰り返し再生しているだけであるが、ループ録画によって同一アドレスには時間の経過とともに新たなデータが記録されているため、新たなデータを再生することになる。
【００６４】
図９に録画アドレスと再生アドレスの関係、すなわちループ録画とループ再生の関係を示す。ｔ０で通信状態が不良になりアドレス０ｘ１００から録画を開始するものとする。表示部２００では通信状態が不良になる前の画像か、通信不良であることを示す画像を表示装置３００に出力する。ｔ１で通信状態が良好に転ずると、録画再生部１０６はメモリ部１０７からの再生を開始する。このときアドレス０ｘ１００から再生を開始する。ｔ１における録画アドレスは０ｘ１４０である。ｔ２になると録画アドレスは０ｘ１００に戻り、ｔ０から記録されたデータを記録アドレスごとに破棄しながら記録を続ける。ｔ２での再生アドレスは０ｘ１６０であり記録アドレスとは同じにならない。録画アドレスが一周して新たなデータが書き込まれる前に再生を行うため、再生すべきデータが記録によって破棄されることはない。ｔ３になると再生アドレスが０ｘ２００に達し次の再生アドレスが０ｘ１００になる。この時点でｔ２以前のデータは破棄され、ｔ２以降のデータが新たに記録されているので、チューナー部１００は連続した記録データを読み出すことができる。この動作を繰り返すことによって録画と再生を行う。ｔ４でユーザーが受信チャンネルの変更又は電源ＯＦＦにすると、録画と再生を停止する。
【００６５】
すなわち、実施の形態２におけるテレビ放送受信装置において、録画画再生部１０６は、メモリ部１０７に対する映像データ１２１の録画をループ録画により行い、メモリ部１０７からの映像データ１２１の再生をループ再生により行う。これにより、再生の連続性を確保するとともに、メモリ部の記憶容量を節約することが可能になる。
【００６６】
又、ループ録画及びループ再生はメモリ部１０７の有する記憶容量の一部分で行われる。これにより、メモリ部の記憶容量を節約することが可能になる。
【００６７】
＜効果＞
実施の形態２におけるテレビ放送受信装置において、録画画再生部１０６は、メモリ部１０７に対する映像データ１２１の録画をループ録画により行い、メモリ部１０７からの映像データ１２１の再生をループ再生により行う。これにより、再生の連続性を確保するとともに、メモリ部の記憶容量を節約することが可能になる。
【００６８】
さらに、実施の形態２におけるテレビ放送受信装置において、ループ録画及びループ再生はメモリ部１０７の有する記憶容量の一部分で行われる。これにより、メモリ部の記憶容量を節約することが可能になる。
【００６９】
（実施の形態３）
実施の形態１，２では、ユーザーはチューナー部１００と表示部２００の通信状態が不良になってから再び良好になるまでに要した時間分、本来のデジタル放送よりも遅れた放送内容を視聴することになる。これに対し、実施の形態３では、メモリ部１０７から読み出すデータを時間短縮再生（高速再生）することにより、ユーザーが本来のデジタル放送の視聴を行えるようにするものである。
【００７０】
実施の形態３に係るテレビ放送受信装置の構成を図１０に示す。実施の形態１の構成図である図３と比較すると、録画再生部１０６に時間短縮再生部１５１が追加された点が異なる。その他の構成及び動作は、実施の形態１及び実施の形態２と同様であるため、記載を省略する。
【００７１】
時間短縮再生部１５１は、録画再生部１０６は、メモリ部１０７から再生映像データ１２３を再生するが、録画再生部１０６に備えられた時間短縮部は、再生映像データ１２３の再生時間を短縮する。時間を短縮する手段としては、再生映像を間引きする間引き再生方法がある。以下、間引き再生について図１１を用いて説明する。
【００７２】
図１１の上図は通常再生を示し、下図は間引き再生を示す。例えば、間引き再生では、メモリ部１０７から再生映像データ１２３を通常再生するよりも高速に再生し、再生映像データ１２３を解析することによりＩピクチャを抽出する。例えば、日本における地上波デジタル放送では、０．５秒毎に1度はシーケンスヘッダが挿入されることになっている。このため、少なくとも０．５秒毎に１度はＩピクチャが存在する。ここでは、説明を簡単にするため、Ｉピクチャが０．５秒毎にあると仮定する。図１１において、塗り潰すか斜線で示したピクチャがＩピクチャを表している。Ｉピクチャを２回抽出するごとに復号し、これを０．５秒ごとに表示する。このようにして、通常再生では１秒ごとに表示されるべき映像が０．５秒おきに表示されるようになるので、２倍の速度で再生することになり、再生時間の短縮が行われる。ここでは、Ｉピクチャのみを間引きして０．５秒ごとに表示する方法について述べたが、Ｉピクチャ又はＢピクチャ又はＰピクチャ、あるいは何れかの組み合わせによって表示装置のフレームレートに合わせた画像を表示し、より滑らかな画像を表示してもよい。
【００７３】
一般的にＭＰＥＧ復号部１１２（図４参照）では映像データ１２１を復号するためにＴＳデータをバッファで保持する。したがって、映像音声入力部１０１からの映像データ１２１がＭＰＥＧ復号１１２で復号されるまでタイムラグが発生する。一方、メモリ部１０７への録画は、映像音声入力部１０１から映像データ１２１が録画再生部１０６に入力されると同時に開始される。又、メモリ部１０７からの再生及び再生映像データのデコードが行われる。この映像データ１２１の録画から再生までに要する時間から計算されるデータ量よりも大きいバッファを、ＭＰＥＧ復号部１１２のバッファに設ける。
【００７４】
さらに時間短縮再生部１５１は、映像データ１２１に含まれる時刻をチューナー部１００の現在時刻とし、これと再生映像データ１２３中に含まれる時刻とを比較する。この比較により、再生映像データ１２３と映像音声入力部１０１で受信した映像データ１２１との同期を検出する。同期を検出すると、入力データ選択部１１１は入力を再生映像データ１２３から映像データ１２１に切り替え、録画再生部１０６はメモリ部１０７への録画及びメモリ部１０７からの再生を停止する。
【００７５】
図１２は、高速再生により再生映像データ１２３と映像データ１２１が同期する様子を示した図である。横軸は経過時刻を表し、縦軸は再生映像データの再生位置と、受信状態が良好であった場合の再生位置（放送の位置）との時間差を示している。チューナー部１００と表示部２００との通信が良好である間（時刻０からｔ１）は、録画を行わず映像データ１２１を表示部２００に伝送するため、時間差はない。ｔ１で通信が不良となり、チューナー部１００はメモリ部１０７に映像データ１２１の録画を開始する。通信が不良である間は表示部２００に処理後映像データ１２２の送信を行えないため、チューナー部１００は一時停止状態となっている。よって、放送との時間差は通信不良の間、増え続ける。ｔ２は通信不良から良好になることを示している。チューナー部１００は、メモリ部１０７から再生を行う。このとき録画は引き続き行う。前述のようにメモリ部１０７から録画データを高速再生（２倍速）する。２倍速再生によって、放送との時間差は縮まっていく（ｔ２〜ｔ３）。ｔ３で時間短縮再生部１５１は映像データ１２１と再生映像データ１２３が同期したことを検出する。すなわち、再生映像データ１２３と放送（映像データ１２１）の時間差が０になる。このとき、入力データ選択部１１１は再生映像データ１２３から映像データ１２１へ入力を切り替え、録画再生部１０６はメモリ部１０７への録画及びメモリ部１０７からの再生の停止を行う。
【００７６】
すなわち、実施の形態３のテレビ放送受信装置において、録画再生部１０６は、再生映像データ１２３を時間的に圧縮して読み出しを行い、録画再生部１０６で読み出される再生映像データ１２３が映像データ１２１に追いついた時点で、メモリ部１０７への録画及びメモリ部１０７からの読み出しを停止する。録画再生部１０６に時間短縮再生部１５１を設け、時間短縮再生部１５１によって、録画した映像データ１２１を時間圧縮して高速再生することによって、通信不良が生じた間の遅延を回復することが可能になり、ユーザーは放送に対する遅延なく視聴することができるようになる。このため、ユーザーはユーザー参加が可能な番組であっても遅延回復することにより番組に時間遅延なく参加が可能となる。また、メモリ部１０７に録画可能な領域を増やすことが可能になるので、メモリを追加することなく、新たに通信不良があっても放送を欠落なく視聴できる時間を長くすることが可能になる。
【００７７】
＜効果＞
実施の形態３のテレビ放送受信装置において、録画再生部１０６は、再生映像データ１２３を時間的に圧縮して読み出しを行い、録画再生部１０６で読み出される再生映像データ１２３が映像データ１２１に追いついた時点で、メモリ部１０７への録画及びメモリ部１０７からの読み出しを停止する。録画再生部１０６に時間短縮再生部１５１を設け、時間短縮再生部１５１によって、録画した映像データ１２１を時間圧縮して高速再生することによって、通信不良が生じた間の遅延を回復することが可能になり、ユーザーは放送に対する遅延なく視聴することができるようになる。このため、ユーザーはユーザー参加が可能な番組であっても遅延回復することにより番組に時間遅延なく参加が可能となる。また、メモリ部１０７に録画可能な領域を増やすことが可能になるので、メモリを追加することなく、新たに通信不良があっても放送を欠落なく視聴できる時間を長くすることが可能になる。
【００７８】
（実施の形態４）
実施の形態４のテレビ放送受信装置の構成を図１３に示す。実施の形態４は実施の形態３とほぼ同様であり、時間短縮再生部１５１にＣＭ検出部１５２を備える点のみが異なる。その他の構成及び動作については実施の形態１と同様であるため、記載を省略する。
【００７９】
実施の形態４のテレビ放送受信装置は、ＣＭ検出部１５２によって放送の本編からＣＭ部分を検出し、ＣＭのみ高速再生するものである。高速再生の原理については実施の形態３で説明したとおりである。
【００８０】
例えば、地上デジタル放送は、１つの番組に対して本編にＣＭが挿入されて放送されている。図１４では、ｔａ時間の番組のうちＣＭが２回挿入されている。ＣＭ検出部１５２は、メモリ部１０７からの再生映像データ１２３を解析してＣＭを検出すると、ＣＭの部分のみ高速再生する。図１４ではＣＭ部分を２倍速で再生する様子を例示している。通常再生では再生にｔａ時間必要であったが、高速再生ではｔ１時間に短縮される。
【００８１】
図１５は、通信状態が不良になる前から、通信状態が良好になり再生映像データ１２３がデジタル放送に同期するまでの動作を示したものである。横軸は経過時刻を表し、縦軸は再生位置と受信状態が良好である場合の再生位置との時間差を示している。表示部２００との通信が良好である間（時刻０からｔ１）は、録画を行わず映像データ１２１を処理後映像データ１２２に変換して表示部２００に伝送するため、放送との時間差はない。デジタル放送を受信中、ｔ１で通信状態が不良と判定されると、映像データ１２１をメモリ部１０７に録画する。このときの放送内容はＣＭでなく本編であるものとする。通信状態が不良である間は、時間経過に比例して受信状態が良好である場合（放送）との時間差が増加する。そして、ｔ２で通信状態が良好と判定されるとメモリ部１０７から再生映像データ１２３の読み出しが開始される。受信状態が不良になったｔ１の時点では本編が放送されていたため、ｔ２では本編の通常再生が行われる。なお録画は継続して行われる。ｔ３でＣＭ検出部１５２はＣＭを検出し、例えば２倍速でＣＭを高速再生する。２倍速再生によって放送と再生映像データ１２３との時間差は減少していく。ｔ４でＣＭ検出部１５２はＣＭでなくなったことを検出し、本編がメモリ部１０７から読み出されていることを認識すると、２倍速再生を終えて通常再生に戻る。その後通常再生を続け、ｔ５でＣＭ検出部１５２がＣＭを検出するとＣＭに対し２倍速再生を行う。時間短縮再生部１５１はｔ６で映像データ１２１と再生映像データ１２３が同期したことを検出する。すなわち、再生映像データ１２３と放送（映像データ１２１）の時間差が０になる。このとき入力データ選択部１１１は入力として映像データ１２１を選択し、録画再生部１０６はメモリ部１０７への録画及びメモリ部１０７からの再生の停止を行う。
【００８２】
なお、実施の形態４では、ＣＭ部分を高速再生する例を示したが、より早期に本来受信しているデジタル放送に同期するためには、図１６に示すようにＣＭ検出部１５２でＣＭを検出すると、次の本編までＣＭの部分を飛び越して再生するようにしてもよい。
【００８３】
すなわち、実施の形態４に係るテレビ放送受信装置において、録画再生部１０６は、再生映像データ１２３からコマーシャルを検出し、コマーシャルのみ時間的に圧縮して高速に読み出しを行い、録画再生部１０６で読み出される再生映像データ１２３が映像データ１２１に追いついた時点で、メモリ部１０７への録画及びメモリ部１０７からの読み出しを停止する。録画再生部１０６の時間短縮再生部１５１にＣＭ検出部１５２を有することにより、ＣＭ検出部１５２によってメモリ部１０７からの再生映像データ１２３からＣＭを検出し、ＣＭ部分のみ高速再生することが可能になったので、通信不良が生じた間の遅れを回復することが可能になるとともに、本編とＣＭの全てを高速再生した場合に比して、ユーザーは本編部分を理解しやすくなる。
【００８４】
＜効果＞
実施の形態４に係るテレビ放送受信装置において、録画再生部１０６は、再生映像データ１２３からコマーシャルを検出し、コマーシャルのみ時間的に圧縮して高速に読み出しを行い、録画再生部１０６で読み出される再生映像データ１２３が映像データ１２１に追いついた時点で、メモリ部１０７への録画及びメモリ部１０７からの読み出しを停止する。録画再生部１０６の時間短縮再生部１５１にＣＭ検出部１５２を有することにより、ＣＭ検出部１５２によってメモリ部１０７からの再生映像データ１２３からＣＭを検出し、ＣＭ部分のみ高速再生することが可能になったので、通信不良が生じた間の遅れを回復することが可能になるとともに、本編とＣＭの全てを高速再生した場合に比して、ユーザーは本編部分を理解しやすくなる。
【００８５】
（実施の形態５）
実施の形態５に係るテレビ放送受信装置の構成を図１７に示す。実施の形態１の構成図である図３と比較すると、録画再生部１０６にハイライト再生検出部１７１が追加されている点が異なる。これ以外の構成及び動作は実施の形態１と同様であるため、記載を省略する。
【００８６】
ハイライト再生検出部１７１は、通信状態判定部１０３がチューナー部無線通信部１０２における通信状態を良好と判定すると、メモリ部１０７から高速に再生映像データ１２３を読み出す。読み出された再生映像データ１２３を解析し、特徴的なパターン（ハイライトシーン）を検出する。特徴的なパターンを検出する従来例としては、音声信号の音量が所定値以上である部分を検出し、音量が所定値以上である部分を特徴的なパターンとしている。この方法以外によって特徴的なパターンを検出してもよい。検出したパターンの前後を再生することによってハイライト再生とする。この特徴的なパターンの検出をメモリ部１０７から読み出した再生映像データ１２３全体に対して行う。そして、それぞれの検出した特徴的なパターンに対してハイライト再生を行う。
【００８７】
図１８にハイライト再生の様子を示す。通信状態が不良である時間ｔａ分の映像データ１２１がメモリ部１０７に録画されている。録画再生部１０６はこれを再生映像データ１２３としてハイライト再生検出部１７１に読み出す。ハイライト再生検出部１７１は読み出された再生映像データ１２３を解析し特徴的なパターンを検出する。図１８の例では、ｔ１、ｔ２、ｔ３の時刻において特徴的なパターンが検出されている。これらハイライト再生検出部１７１で検出された３つの特徴的なパターンに対し、これらを含めて前後の所定部分の再生を行う。これにより、通常再生ではｔａ時間必要であった再生時間が、ｔ４にまで時間短縮することが可能になる。ハイライト再生中にも録画再生部１０６はメモリ部１０７に映像データ１２１の録画を行っており、当該映像データ１２１を読み出してさらにこれに対しハイライト再生を行う。ハイライト再生による再生映像データ１２３の時刻が映像データ１２１の時刻に追いついた時点で、ハイライト再生を終了する。ハイライト再生を終了すると、入力データ選択１１１は入力データとして映像データ１２１を選択し、録画再生部１０６はメモリ部１０７への録画及びメモリ部１０７からの再生の停止を行う。
【００８８】
すなわち、実施の形態５に係るテレビ放送受信装置において、録画再生部１０６は、再生映像データ１２３から放送のハイライトシーンを検出し、ハイライトシーンの前後所定時間分の読み出しを行い、録画再生部１０６で読み出される再生映像データ１２３が映像データ１２１に追いついた時点で、メモリ部１０７への録画及びメモリ部１０７からの読み出しを停止する。録画再生部１０６にハイライト再生検出部１７１を設け、ハイライト再生検出部１７１がハイライトシーンを検出してハイライト再生することにより、本編あるいはＣＭを高速再生する手法に比して、通信不良が生じた間の遅延をより早く回復することが可能になる。又、ユーザーは通信不良が生じた間の番組内容を大まかに理解することが可能であるため、ハイライト再生の後、本来のデジタル放送の視聴に移行しても番組の内容を理解しやすい。
【００８９】
＜効果＞
実施の形態５に係るテレビ放送受信装置において、録画再生部１０６は、再生映像データ１２３から放送のハイライトシーンを検出し、ハイライトシーンの前後所定時間分の読み出しを行い、録画再生部１０６で読み出される再生映像データ１２３が映像データ１２１に追いついた時点で、メモリ部１０７への録画及びメモリ部１０７からの読み出しを停止する。録画再生部１０６にハイライト再生検出部１７１を設け、ハイライト再生検出部１７１がハイライトシーンを検出してハイライト再生することにより、本編あるいはＣＭを高速再生する手法に比して、通信不良が生じた間の遅延をより早く回復することが可能になる。又、ユーザーは通信不良が生じた間の番組内容を大まかに理解することが可能であるため、ハイライト再生の後、本来のデジタル放送の視聴に移行しても番組の内容を理解しやすい。
【００９０】
（実施の形態６）
実施の形態６に係るテレビ放送受信装置の構成を図１９に示す。実施の形態１の構成図である図３と比較すると、チューナー部制御部１０８に表示部通信状態抽出部１６１が追加され、表示部制御部２０８には表示部通信状態検出部２０５が追加された点が異なる。これ以外の構成及び動作は実施の形態１と同様であるため、記載を省略する。
【００９１】
表示部通信状態検出部２０５は、表示部無線通信部２０２におけるチューナー部１００との通信状態を検出する。通信状態の検出は、表示部無線通信部２０２にて送受信する信号から、その通信状態を示す所定の情報を検出することにより行う。例えば、伝送データのエラーレートを検出する。あるいは、チューナー部１００に送信している送信チャンネルのＳＮ比あるいはＣＮ比の検出しても良い。又は、チューナー部１００からの送信チャンネルのＳＮ比あるいはＣＮ比の検出の検出を行う。検出事項はこれらの一部または全部であってもよい。検出した内容は表示部通信状態データとして、表示部無線通信部２０２に表示部制御部２０８によって送られる。表示部無線通信部２０２では、チューナー部１００に伝送する表示部補助データに表示部通信状態データを付加し、チューナー部１００に伝送する。
【００９２】
チューナー部１００では、表示部２００から伝送された表示部補助データはチューナー部無線通信部１０２を通してチューナー部制御部１０８に送られる。表示部通信状態抽出部１６１は、表示部補助データに付加された表示部通信状態データの抽出を行い、通信状態判定部１０３に出力する。
【００９３】
通信状態判定部１０３では、チューナー部通信状態検出部１０５で検出されたチューナー部通信状態データ及び表示部通信状態抽出部１６１で検出された表示部通信状態データによって通信状態の判定を行う。例えば、チューナー部通信状態データと表示部通信状態データのうち、一方のエラーレートの増加（エラーが多くなる）に基づいて判定される。他の方法では、チューナー部通信状態データと表示部通信状態データのうち、一方のＳＮ比が所定値以下（ノイズが大きくなる）になることに基づいて判定しても良い。
【００９４】
すなわち、実施の形態６のテレビ放送受信装置において、表示部２００は、チューナー部無線通信部１０２との間で無線通信を行う表示部無線通信部２０２と、表示部無線通信部２０２における通信状態を検出し、検出結果を表示部通信状態データとして出力する表示部通信状態検出部２０５と、を備え、表示部無線通信部２０２は、表示部通信状態検出部２０５から表示部通信状態データを受け、これをチューナー部無線通信部２０２に送信し、通信状態判定部１０３は、チューナー部無線通信部１０５から表示部通信状態データを受け、表示部通信状態データ及びチューナー部通信状態データに基づいて、通信状態の不良を判定する。例えばチューナー部１００から表示部２００への送信と、表示部２００からチューナー部１００への送信において無線通信方式が異なる場合は、チューナー部通信状態検出部１０５での検出結果では通信状態は良好であるものの、表示部通信状態検出部２０５の検出結果では通信状態が不良である場合がある。このような場合に、実施の形態６では、チューナー部側の通信状態検出に加えて表示部側でも通信状態の検出を行い、双方の検出結果に基づいて通信状態の判定を行うことにより、正確な通信状態の判定を行う事が出来る。その結果ユーザーは、放送内容を欠落なく視聴できることが可能になる。
【００９５】
＜効果＞
すなわち、実施の形態６のテレビ放送受信装置において、表示部２００は、チューナー部無線通信部１０２との間で無線通信を行う表示部無線通信部２０２と、表示部無線通信部２０２における通信状態を検出し、検出結果を表示部通信状態データとして出力する表示部通信状態検出部２０５と、を備え、表示部無線通信部２０２は、表示部通信状態検出部２０５から表示部通信状態データを受け、これをチューナー部無線通信部２０２に送信し、通信状態判定部１０３は、チューナー部無線通信部１０５から表示部通信状態データを受け、表示部通信状態データ及びチューナー部通信状態データに基づいて、通信状態の不良を判定する。例えばチューナー部１００から表示部２００への送信と、表示部２００からチューナー部１００への送信において無線通信方式が異なる場合は、チューナー部通信状態検出部１０５での検出結果では通信状態は良好であるものの、表示部通信状態検出部２０５の検出結果では通信状態が不良である場合がある。このような場合に、実施の形態６では、チューナー部側の通信状態検出に加えて表示部側でも通信状態の検出を行い、双方の検出結果に基づいて通信状態の判定を行うことにより、正確な通信状態の判定を行う事が出来る。その結果ユーザーは、放送内容を欠落なく視聴できることが可能になる。
【図面の簡単な説明】
【００９６】
【図１】実施の形態１に係るテレビ放送受信装置の構成の概要を示した図である。
【図２】チューナー部と表示部が一体となった従来のテレビ放送受信装置の構成図である。
【図３】実施の形態１に係るテレビ放送受信装置の構成図である。
【図４】実施の形態１におけるチューナー部の構成図である。
【図５】実施の形態１におけるチューナー部の動作を示したフローチャートである。
【図６】メモリ部の録画可能領域について説明した概念図である。
【図７】ループ録画について説明した図である。
【図８】ループ録画について説明した図である。
【図９】ループ録画とループ再生について説明した図である。
【図１０】実施の形態３に係るテレビ放送受信装置の構成図である。
【図１１】間引き再生の原理について説明した図である。
【図１２】再生映像データと放送との時間差について説明した図である。
【図１３】実施の形態４に係るテレビ放送受信装置の構成図である。
【図１４】実施の形態４に係るテレビ放送受信装置の動作を説明する図である。
【図１５】再生映像データと放送との時間差について説明した図である。
【図１６】実施の形態４に係るテレビ放送受信装置の動作を説明する図である。
【図１７】実施の形態５に係るテレビ放送受信装置の構成図である。
【図１８】実施の形態５に係るテレビ放送受信装置の動作を説明する図である。
【図１９】実施の形態６に係るテレビ放送受信装置の構成図である。
【符号の説明】
【００９７】
１００  チューナー部、１０１  映像音声入力部、１０２  チューナー部無線通信部、１０３  通信状態判定部、１０４  送信データ処理部、１０５  チューナー部通信状態検出部、１０６  録画再生部、１０７  メモリ部、１０８  チューナー部制御部、１１１  入力データ選択部、１１２  ＭＰＥＧ復号部、１１３  送信データ変換部、１２１  映像データ、１２２  処理後映像データ、１２３  再生映像データ、２００  表示部、２０２  表示部無線通信部、２０５  表示部通信状態検出部。
【図１】
2010124341.tif 000003
【図２】
2010124341.tif 000004
【図３】
2010124341.tif 000005
【図４】
2010124341.tif 000006
【図５】
2010124341.tif 000007
【図６】
2010124341.tif 000008
【図７】
2010124341.tif 000009
【図８】
2010124341.tif 000010
【図９】
2010124341.tif 000011
【図１０】
2010124341.tif 000012
【図１１】
2010124341.tif 000013
【図１２】
2010124341.tif 000014
【図１３】
2010124341.tif 000015
【図１４】
2010124341.tif 000016
【図１５】
2010124341.tif 000017
【図１６】
2010124341.tif 000018
【図１７】
2010124341.tif 000019
【図１８】
2010124341.tif 000020
【図１９】
2010124341.tif 000021